(57)【要約】【課題】  汎用性があり且つ繰り返して使用可能なシール座金を提供することにある。【解決手段】  中央にボルト孔２を有する座金本体１の上下両面に、前記ボルト孔の周囲に沿った周溝３，４をそれぞれ形成するとゝもに、該周溝内にその深さより高いリング状のシール材５，６をそれぞれ装着した構成。【選択図】  図１
2006064141.tif 000002
【特許請求の範囲】
【請求項１】
中央にボルト孔を有する座金本体の上下両面に、前記ボルト孔の周囲に沿った周溝をそ
れぞれ形成するとゝもに、該周溝内にその深さより高いリング状のシール材をそれぞれ装
着したことを特徴とするシール座金。
【請求項２】
前記周溝内に装着した前記シール材は、前記座金本体の上面又は下面と同一レベルまで
圧縮され変形した際にあって、該変形したシール材の外周と前記周溝の内周との間に間隙
を有する構成としたことを特徴とする請求項１記載のシール座金。
【発明の詳細な説明】
【技術分野】
【０００１】
本発明はシール機能を有するシール座金に関する。
【背景技術】
【０００２】
この種のシール座金として、座金本体のボルト孔内に座金本体の上下面より突出するリ
ング状のシール材を装着したものが存在するが、このリング状シール材の形状によって二
つの形態に大別できる。
【０００３】
その第一のシール座金は、リング状のシール材を座金本体のボルト孔内に押し込み方式
により装着したもの、第二のシール座金は、リング状シール材の直径方向の外周面に周溝
を形成し、該周溝を座金本体のボルト孔の孔周縁に係合方式により装着したものである。
【０００４】
【特許文献１】特公昭５０ー２９１０２号公報
【特許文献２】実開昭６３ー１２３８１８号公報
【特許文献３】実公昭３４ー１４１４号公報
【特許文献４】実開平４ー１４８０９号公報
【発明の開示】
【発明が解決しようとする課題】
【０００５】
しかし、前記第一の従来例のものは、ボルト締めによりリング状シール材が上下方向か
ら圧縮された場合に、座金本体の上下面より突出する部分がボルトとボルト孔との間隙を
充満してなおかつ有り余り、この有り余った部分でシール性が確保されることになる。し
たがって、ボルトの外径とほゞ同一大きさの内径を有するリング状シール材或いは前記間
隙の大きさを考慮した厚みのリング状シール材を選択する必要があり、汎用性に欠けると
いった問題点がある。
【０００６】
これに対して、前記第二の従来例のものは、上記のような問題点は解消されるが、ナッ
トを過度に締め付けた場合、座金本体の上下面より突出する前記周溝の上下の部分のシー
ル材が、ボルト孔周縁の上面とボルトの頭部下面及びボルト孔周縁の下面と取付部材の上
面との間で圧潰されて千切れてしまう。
【０００７】
その結果、シール座金によるシール効果が損なわれるとゝもに、繰り返し使用ができな
くなるといった問題点がある。本発明は、上記のような従来の問題点を解決するために成
されたもので、汎用性があり且つ繰り返して使用可能なシール座金を提供することを目的
としたものである。
【課題を解決するための手段】
【０００８】
上記の目的を達成するため、本願の第一発明は、中央にボルト孔を有する座金本体の上
下両面に、前記ボルト孔の周囲に沿った周溝をそれぞれ形成するとゝもに、該周溝内にそ
の深さより高いリング状のシール材をそれぞれ装着したことを特徴とする。さらに、上記
の目的を達成するため、本願の第二発明は、前記周溝内に装着した前記シール材は、前記
座金本体の上面又は下面と同一レベルまで圧縮され変形した際にあって、該変形したシー
ル材の外周と前記周溝の内周との間に間隙を有する構成とした。
【発明の効果】
【０００９】
前記第一発明の構成とすることにより、ボルトの頭部下面と座金本体との間では上部の
リング状シール材で、また座金本体と取付部材との間では下部のリング状シール材でそれ
ぞれシールされる。したがって、ボルト孔の内径，該ボルト孔内に挿入するボルトの外径
に左右されることなく座金本体の上下両面で確実にシールされる。
【００１０】
また、ボルトを過度に締め付けた場合でも、上部のリング状シール材にあってはボルト
の頭部下面と座金本体が、下部のリング状シール材にあっては座金本体と取付部材とがそ
れぞれ面接することでそれ以上の締め付けはなされない。したがって、リング状シール材
が弾性限界を越えて圧潰され、千切れるといった恐れがなく、反復使用も可能となる。
【００１１】
そして、前記第二発明の構成とすることにより、ナットを過度に締め付けた場合でも弾
性限界以上に圧潰されて千切れることがないといった上記効果に加え、リング状シール材
の復元力によって、このリング状シール材を押圧するボルトの頭部下面及び取付部材との
接触面積が小さくなり、高い接触圧で接触することで高いシール効果が得られる。
【発明を実施するための最良の形態】
【００１２】
以下、本発明を図面に示す実施形態により詳細に説明すると、図において、Ａは本発明
に係るシール座金で、中央にボルト孔２を備えた円形の平座金本体１と、該平座金本体１
の上下両面にそれぞれ形成した上下一対の周溝３，４と、該周溝３，４内にそれぞれ装着
した上下一対のリング状のシール材５，６とから構成されている。
【００１３】
前記周溝３，４は、前記シール座金１の中央に形成したボルト孔２の周囲に沿ってそれ
ぞれ形成した環状の凹溝で、幅ｗ：５ｍｍ．深さｈ：１ｍｍとした横断面が台形状のもの
であり、該各周溝３，４内には円弧部５ａ，６ａと平面部５ｂ，６ｂとからなる横断面が
ほゞ半円状としたリング状のシール材５，６が、それぞれ前記平面部５ｂ，６ｂで前記周
溝３，４の底部３ａ，４ａに焼付け又は接着等により装着されている。
【００１４】
前記リング状シール材５，６は、例えばブチルゴムで形成したものであり、その平面部
５ｂ，６ｂの幅Ｗは前記周溝３，４の幅ｗより小さい３ｍｍとし、且つその全高Ｈは前記
周溝３，４の深さｈより大きい２ｍｍとしたものである。したがって、前記リング状シー
ル材５，６は常態において、上方，下方の円弧部５ａ，６ａが前記平座金本体１の上下両
面からそれぞれ１ｍｍだけ突出しているとゝもに、周溝３，４の内部に位置するリング状
シール材５，６と周溝３，４との間には間隙Ｓが形成されている。
【００１５】
図５は本発明に係るシール座金の使用状態を示すもので、上下に重ねた取付部材７Ａ，
７Ｂの上にシール座金Ａを載せ、該シール座金Ａを介して、そのボルト孔２と合致せしめ
た前記取付部材７Ａ，７Ｂのボルト孔内にボルト８を挿入するとゝもに、下部側の取付部
材７Ｂの下面から突出する前記ボルト８の先端部にナット９を螺合せしめる。
【００１６】
そこで、図５に示す状態から前記ナット９を締め付けることにより、前記ボルト８の頭
部８ａ下面と平座金本体１の上面との間では上部のリング状シール材５が、また平座金本
体１の下面と上部側の取付部材７Ａの上面との間では下部のリング状シール材６がそれぞ
れ上下方向から圧縮され、図６に示すように、各リング状シール材５，６の圧縮・変形し
た円弧部５ａ，６ａの部分と密着してそれぞれシールされる。
【００１７】
図７はナット９を過度に締め付けた状態を示す図である。すなわち、ボルト８・ナット
９締めによる連結時において、前記ナット９を過度に締め付ける場合があるが、この場合
でも、前記リング状シール材５，６のシール面（５ａ，６ａ）をそれぞれ押圧する各部材
８ａ及び７Ａが平座金本体１の上面及び下面とそれぞれ当接するまで（最大限）であり、
それ以上はナット９を締め付けることができない。したがって、上下一対のリング状シー
ル材５，６がその弾性限界以上に圧縮され、千切れてシール効果が失われてしまうといっ
た事態が発生することがなく、確実にシールされる。
【００１８】
そして、上下一対のリング状シール材５，６が上記の範囲内で最大限に圧縮された場合
にあっても、該変形したリング状シール材５，６の外周と前記周溝３，４の内周との間に
間隙ｓを有する構成とすることで、該リング状シール材５，６にはその復元力に余裕を持
つものとなる。これは、シール材の弾性係数を加味した材質の選択、シール材の太さと周
溝の大きさ、シール材の高さと周溝の深さ等を考慮することで達成できる。
【００１９】
しかして、リング状シール材５，６の復元力によってそのシール面（圧縮され変形した
円弧部５ａ，６ａ）と各部材８ａ及び７Ａとの接触面積を小さく保つことができる。その
結果、同じ大きさの復元力でも単位面積当たりの力が大きくなるので、高接触圧・高シー
ル性が確保される。
【図面の簡単な説明】
【００２０】
【図１】本発明の実施形態を示すシール座金の断面図
【図２】同シール座金の断面拡大部分図
【図３】同シール座金の平面図
【図４】同シール座金の全体斜視図
【図５】同シール座金の使用状態を示す断面図
【図６】締め付け時の作用説明断面図
【図７】過度に締め付けた時の作用説明断面図
【符号の説明】
【００２１】
Ａ  シール座金
１  平座金本体
２  ボルト孔
３，４  周溝
３ａ，４ａ  同底面部
５，６  リング状シール材
５ａ，６ａ  同円弧部
５ｂ，６ｂ  同平面部
【図１】
2006064141.tif 000003
【図２】
2006064141.tif 000004
【図３】
2006064141.tif 000005
【図４】
2006064141.tif 000006
【図５】
2006064141.tif 000007
【図６】
2006064141.tif 000008
【図７】
2006064141.tif 000009